【手続補正書】
【提出日】令和1年7月1日(2019.7.1)
【手続補正１】
【補正対象書類名】明細書
【補正対象項目名】０００８
【補正方法】変更
【補正の内容】
【０００８】
本発明の一態様に係る印刷装置は、複数の発熱素子を有し、被印刷媒体に複数のラインを印刷するサーマルヘッドと、制御装置と、を備え、前記制御装置は、前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定し、前記複数のラインのそれぞれを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定し、前記印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する。
【手続補正２】
【補正対象書類名】明細書
【補正対象項目名】０００９
【補正方法】変更
【補正の内容】
【０００９】
本発明の別の態様に係る印刷装置は、複数の発熱素子を有し、被印刷媒体に複数のラインを印刷するサーマルヘッドと、制御装置と、を備え、前記制御装置は、前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの温度変化を調整するための第２の通電制御期間を、前記サーマルヘッドの前記複数の発熱素子への通電が行われない非通電期間を介して、前記第１の通電制御期間よりも時間的に後のタイミングに設定し、前記複数のラインのうちの少なくともスティッキングが発生する可能性があると推定される第ｎライン（ｎは２以上の整数）と、前記第ｎラインの直前に印刷される第（ｎ−１）ラインと、を対策対象ライン群に設定し、前記複数のラインのそれぞれを印刷させるための複数の印刷ラインデータを含む印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する。
【手続補正３】
【補正対象書類名】明細書
【補正対象項目名】００１１
【補正方法】変更
【補正の内容】
【００１１】
本発明の一態様に係る印刷制御方法は、印刷装置のサーマルヘッドにより被印刷媒体に複数のラインを印刷させる際の前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定し、前記複数のラインを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定し、前記印刷データに基づいて、前記対策対象ラインのそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する。
【手続補正４】
【補正対象書類名】明細書
【補正対象項目名】００１２
【補正方法】変更
【補正の内容】
【００１２】
本発明の一態様に係るプログラムは、印刷装置が備えるコンピュータに、前記印刷装置のサーマルヘッドにより被印刷媒体に複数のラインを印刷させる際の前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定させ、前記複数のラインを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定させ、前記印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する。
【手続補正５】
【補正対象書類名】特許請求の範囲
【補正対象項目名】全文
【補正方法】変更
【補正の内容】
【特許請求の範囲】
【請求項１】
複数の発熱素子を有し、被印刷媒体に複数のラインを印刷するサーマルヘッドと、
制御装置と、
を備え、
前記制御装置は、
前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定し、
前記複数のラインのそれぞれを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定し、
前記印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する、
ことを特徴とする印刷装置。
【請求項２】
請求項１に記載の印刷装置において、
前記制御装置は、
前記第２の通電制御期間で、少なくとも前記第ｎラインにおけるスティッキングの発生が抑制されるように、前記複数の発熱素子の少なくとも一部の温度変化を調整するための対策データを、前記印刷データに基づいて生成し、
前記スティッキングが発生する可能性があると推定される前記第ｎラインの決定、前記対策対象ライン群の設定、及び、前記対策データの生成を、前記印刷を実行する前に行う、
ことを特徴とする印刷装置。
【請求項３】
請求項２に記載の印刷装置において、
前記制御装置は、
前記対策データを、少なくとも前記第（ｎ−１）ラインに対応する前記印刷ラインデータと前記第ｎラインに対応する前記印刷ラインデータに基づいて生成し、
前記対策対象ライン群に含まれる前記ラインのそれぞれにおける前記第２の通電制御期間において電圧を印加する前記発熱素子を互いに同じに設定する、
ことを特徴とする印刷装置。
【請求項４】
請求項１に記載の印刷装置において、
前記制御装置は、
前記複数の発熱素子における、前記第（ｎ−１）ラインにおける前記第２の通電制御期間において電圧を印加する前記発熱素子を設定するための前記対策データを、少なくとも前記第（ｎ−１）ラインに対応する前記印刷ラインデータと前記第ｎラインに対応する前記印刷ラインデータに基づいて生成し、
前記（ｎ−１）ラインを除く前記対策対象ライン群に含まれる前記ラインのそれぞれにおける前記第２の通電制御期間において電圧を印加する前記発熱素子を設定するための前記対策データを、少なくとも前記（ｎ−１）ラインを除く前記対策対象ライン群に含まれる前記ラインのそれぞれに対応する前記印刷ラインデータに基づいて生成する、
ことを特徴とする印刷装置。
【請求項５】
請求項１乃至請求項４のいずれか一項に記載の印刷装置は、
前記印刷装置の周囲の温度を環境温度として測定する環境温度測定部を備え、
前記制御装置は、
前記複数のラインのうちの前記第（ｎ−１）ラインと第ｎラインと前記第ｎラインから連続して印刷される少なくとも一つの前記ラインとを前記対策対象ライン群に設定し、
前記環境温度に基づいて前記対策対象ライン群に含まれる前記ラインの数を設定する、
ことを特徴とする印刷装置。
【請求項６】
請求項１乃至請求項４のいずれか一項に記載の印刷装置において、
前記制御装置は、
前記複数のラインのうちの前記第（ｎ−１）ラインと第ｎラインと前記第ｎラインから連続して印刷される少なくとも一つの前記ラインとを前記対策対象ライン群に設定し、
前記印刷データに基づいて前記対策対象ライン群に含まれる前記ラインの数を設定する、
ことを特徴とする印刷装置。
【請求項７】
請求項５又は請求項６に記載の印刷装置において、
前記制御装置は、前記対策対象ライン群における前記第ｎラインから連続して印刷される少なくとも一つの前記ラインに対して、前記スティッキングが発生する可能性の推定を行わないようにする、
ことを特徴とする印刷装置。
【請求項８】
請求項１乃至請求項７のいずれか１項に記載の印刷装置において、
前記制御装置は、
前記複数のラインにおける、互いに隣接して印刷される二つのラインのそれぞれに対応する二つの印刷ラインデータを比較した結果に基づいて、前記スティッキングが発生する可能性があると推定される前記第ｎラインをスティッキング発生推定ラインとして決定する、
ことを特徴とする印刷装置。
【請求項９】
請求項８に記載の印刷装置において、
前記制御装置は、前記二つの印刷ラインデータの一方に基づいて特定される印刷ドットの数と、前記二つの印刷ラインデータの他方に基づいて特定される印刷ドットの数と、を比較した結果に基づいて、前記スティッキング発生推定ラインを決定する、
ことを特徴とする印刷装置。
【請求項１０】
請求項８に記載の印刷装置において、
前記制御装置は、前記二つの印刷ラインデータの一方に基づいて特定される所定数連続して並んでいる印刷ドットである印刷ドット群の数と、前記二つの印刷ラインデータの他方に基づいて特定される印刷ドット群の数と、を比較した結果に基づいて、前記スティッキング発生推定ラインを決定する、
ことを特徴とする印刷装置。
【請求項１１】
複数の発熱素子を有し、被印刷媒体に複数のラインを印刷するサーマルヘッドと、
制御装置と、
を備え、
前記制御装置は、
前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記サーマルヘッドの温度変化を調整するための第２の通電制御期間を、前記サーマルヘッドの前記複数の発熱素子への通電が行われない非通電期間を介して、前記第１の通電制御期間よりも時間的に後のタイミングに設定し、
前記複数のラインのうちの少なくともスティッキングが発生する可能性があると推定される第ｎライン（ｎは２以上の整数）と、前記第ｎラインの直前に印刷される第（ｎ−１）ラインと、を対策対象ライン群に設定し、
前記複数のラインのそれぞれを印刷させるための複数の印刷ラインデータを含む印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する、
ことを特徴とする印刷装置。
【請求項１２】
請求項１１に記載の印刷装置と、
コンピュータと、を備え、
前記コンピュータは、
前記印刷データに基づいて、前記複数のラインにおけるスティッキングが発生する可能性があると推定される前記第ｎラインを前記スティッキング発生推定ラインとして決定し、
前記スティッキング発生推定ラインを特定するスティッキング発生推定ラインデータを前記印刷装置へ出力する、
ことを特徴とする印刷システム。
【請求項１３】
印刷装置のサーマルヘッドにより被印刷媒体に複数のラインを印刷させる際の前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定し、
前記複数のラインを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定し、前記印刷データに基づいて、前記対策対象ラインのそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する、
ことを特徴とする印刷制御方法。
【請求項１４】
印刷装置が備えるコンピュータに、
前記印刷装置のサーマルヘッドにより被印刷媒体に複数のラインを印刷させる際の前記複数のラインのそれぞれを印刷するための１ライン周期内に前記被印刷媒体に印刷を行うための第１の通電制御期間を設定するとともに、前記１ライン周期内に前記被印刷媒体に印刷を行うことなく前記印刷装置のサーマルヘッドの温度変化を調整するための第２の通電制御期間を、前記第１の通電制御期間より、前記サーマルヘッドの前記複数の発熱素子への通電が行われない非通電期間を介して、時間的に後のタイミングに設定させ、
前記複数のラインを印刷させるための複数の印刷ラインデータを含む印刷データに基づいて、前記複数のラインにおける、スティッキングが発生する可能性があると推定される第ｎライン（ｎは２以上の整数）と、前記第ｎラインの直前に印刷される第（ｎ−１）ラインと、を対策対象ライン群に設定させ、前記印刷データに基づいて、前記対策対象ライン群のそれぞれの前記ラインにおける前記第２の通電制御期間で、少なくとも前記第ｎラインにおけるスティッキングの発生が抑制されるように、前記複数の発熱素子の少なくとも一部に電圧が印加されるように制御する、
ことを特徴とするプログラム。